(57)【要約】      （修正有）【課題】係止後の釣糸の脱落を防止しつつ糸癖が付くのを防止し、さらに、より少ない動作で簡易かつ迅速に釣糸を係止するスピニングリールの釣糸止装置の提供。【解決手段】釣糸巻回胴部の後端３１ｂに設けられた円筒状のスカート部３３に配置される魚釣用スピニングリールの糸止め装置である。スカート部３３の径方向に延在する支軸部１６と、支軸部１６の端部に設けられた釣糸係止部１７と、を備えている。釣糸係止部は、スカート部３３側の外面部との間に釣糸を挟持する釣糸挟持部Ｒ１を備えている。釣糸挟持部Ｒ１は、釣糸係止部とスカート部３３側の外面部との対向する領域のうち、釣糸巻回胴部側となる前部側の領域に形成されている。【選択図】図３
2018050553.tif 000002
【特許請求の範囲】
【請求項１】
釣糸巻回胴部の後端に設けられた円筒状のスカート部に配置される魚釣用スピニングリールの糸止め装置であって、
前記スカート部の径方向に延在する支軸部と、前記支軸部の端部に設けられた釣糸係止部と、を備え、
前記釣糸係止部は、前記スカート部側の外面部との間に釣糸を挟持する釣糸挟持部を備えており、
前記釣糸挟持部は、前記釣糸係止部と前記スカート部側の外面部との対向する領域のうち、前記釣糸巻回胴部側となる前部側の領域に形成されていることを特徴とする魚釣用スピニングリールの糸止め装置。
【請求項２】
前記釣糸挟持部は、
前記支軸部の軸方向から見て、前記スカート部の軸心に直交し、かつ前記支軸部の外面後端部に接して前記スカート部の周方向に延在する線を基準線としたときに、前記基準線よりも前側に設けられていることを特徴とする請求項１に記載の魚釣用スピニングリールの糸止め装置。
【請求項３】
釣糸巻回胴部の後端に設けられた円筒状のスカート部に配置される魚釣用スピニングリールの糸止め装置であって、
前記スカート部の径方向に延在する支軸部と、前記支軸部の端部に設けられた釣糸係止部と、を備え、
前記釣糸係止部は、前記スカート部側の外面部との間に釣糸を挟持する釣糸挟持部を備えており、
前記釣糸挟持部は、
前記釣糸巻回胴部に巻回される釣糸の巻き付け方向の先糸側となる前記釣糸係止部の側部側の領域に形成されていることを特徴とする魚釣用スピニングリールの糸止め装置。
【請求項４】
前記スカート部側の外面部と前記釣糸係止部との一方には、他方へ向けて突出する抜け止め突起が設けられていることを特徴とする請求項１から請求項３のいずれか１項に記載の魚釣用スピニングリールの糸止め装置。
【請求項５】
前記スカート部側の外面部と前記釣糸係止部との他方には、前記抜け止め突起が係合する係合凹部が設けられていることを特徴とする請求項４に記載の魚釣用スピニングリールの糸止め装置。
【請求項６】
前記釣糸挟持部の少なくとも一部は、前記支軸部と前記抜け止め突起との間に形成されていることを特徴とする請求項４または請求項５に記載の魚釣用スピニングリールの糸止め装置。
【請求項７】
前記スカート部側の外面部には、前記釣糸挟持部に隣接して、前記釣糸挟持部に挟持された釣糸の先糸側部分を収容する凹部が設けられていることを特徴とする請求項１から請求項６のいずれか１項に記載の魚釣用スピニングリールの糸止め装置。
【請求項８】
請求項１から請求項７のいずれか１項に記載の魚釣用スピニングリールの糸止め装置を備えることを特徴とする魚釣用スピニングリール。
【発明の詳細な説明】
【技術分野】
【０００１】
本発明は、魚釣用スピニングリールの糸止め装置および魚釣用スピニングリールに関するものである。
【背景技術】
【０００２】
一般に、魚釣用スピニングリールは、ハンドルの回転に応じて前後動するスプールを備えている。このスプールは、その外周に釣糸が巻回される釣糸巻回胴部と、この釣糸巻回胴部の後端に設けられるスカート部と、を備えている。スカート部は、釣糸巻回胴部よりも大径に形成されている。
【０００３】
従来、スカート部の外周面に糸止め装置が設けられた魚釣用スピニングリールが知られている（例えば、特許文献１，２参照）。糸止め装置は、釣糸巻回胴部に巻回された釣糸がほどけないように係止するためのものである。
特許文献１の魚釣用スピニングリールにおける糸止め装置は、スカート部の側方に突出するひっかけ金具を有して構成されている。特許文献１の糸止め装置は、このひっかけ金具の軸周りに釣糸を巻き付けることによって釣糸を係止するようになっている。
【０００４】
また、特許文献２の魚釣用スピニングリールにおける糸止め装置は、スカート部の外周面に沿って延在する釣糸係止部を備えている。特許文献２の糸止め装置は、この釣糸係止部とスカート部の外周面との間に釣糸の先端を挟み込むことによって釣糸を係止するようになっている。この釣糸係止部は、ばねや釣糸係止部自身の弾性によってスカート部に向けて付勢されている。この付勢により、釣糸係止部から釣糸が脱落することを防止している。
【先行技術文献】
【特許文献】
【０００５】
【特許文献１】実開昭５５−１２１６６９号公報
【特許文献２】特開２００３−２８４４５９号公報
【発明の概要】
【発明が解決しようとする課題】
【０００６】
特許文献１の魚釣用スピニングリールの糸止め装置は、ひっかけ金具の軸回りに釣糸を巻き付けて係止するものであるので、例えば、釣糸が硬く太い場合に、釣糸自体の張りでひっかけ金具から釣糸が脱落するおそれがあった。
また、特許文献１の魚釣用スピニングリールの糸止め装置は、ひっかけ金具に釣糸を長時間係止していると、湾曲する等の糸癖が付いてしまうおそれがあった。釣糸に糸癖が付くと、釣糸の放出性能を低下させたり、糸絡みや糸切れが発生し易くなる等の不具合が生じるおそれがある。
【０００７】
また、特許文献２の魚釣用スピニングリールの糸止め装置は、釣糸係止部のうち釣糸巻回胴部から遠れた位置にある部分で（釣糸係止部のうち釣糸巻回胴部と反対側にある部分で）、釣糸を係止するように構成されている。このため、特許文献２の魚釣用スピニングリールの糸止め装置では、釣糸を係止する際に、釣糸巻回胴部から遠れた位置に一旦釣糸を移動させてから、釣糸係止部とスカート部の外周面との間の係止位置まで釣糸を進入させる必要があった。このため、係止のための動作が多く、煩雑で迅速性に欠けるという課題があった。
【０００８】
本発明は、前記課題を解決するためになされたものであり、係止後の釣糸の脱落を防止しつつ糸癖が付くのを防止することができ、さらに、より少ない動作で簡易かつ迅速に釣糸を係止することができる魚釣用スピニングリールの糸止め装置および魚釣用スピニングリールを提供することを目的とする。
【課題を解決するための手段】
【０００９】
前記目的を達成するために本発明の魚釣用スピニングリールの糸止め装置は、釣糸巻回胴部の後端に設けられた円筒状のスカート部に配置される魚釣用スピニングリールの糸止め装置である。糸止め装置は、前記スカート部の径方向に延在する支軸部と、前記支軸部の端部に設けられた釣糸係止部と、を備えている。前記釣糸係止部は、前記スカート部側の外面部との間に釣糸を挟持する釣糸挟持部を備えている。前記釣糸挟持部は、前記釣糸係止部と前記スカート部側の外面部との対向する領域のうち、前記釣糸巻回胴部側となる前部側の領域に形成されている。
【００１０】
この魚釣用スピニングリールの糸止め装置では、釣糸係止部の前側から釣糸挟持部に釣糸を進入させることができる。つまり、釣糸を係止する際には、従来のように、釣糸巻回胴部から遠れた側となる釣糸係止部の後部側に一旦釣糸を移動させる必要がなくなり、釣糸巻回胴部から釣糸係止部の前側の釣糸挟持部にダイレクトに釣糸を進入させて挟持することができる。また、釣糸巻回胴部から釣糸係止部の前側の釣糸挟持部にダイレクトに釣糸を進入させて挟持することができるので、従来のように、釣糸係止部に釣糸を巻き付けるような係止態様を採る必要がない。したがって、係止後の釣糸の脱落を防止しつつ糸癖が付くのを防止することができるとともに、より少ない動作で簡易かつ迅速に釣糸を係止することができる。
【００１１】
また、前記した魚釣用スピニングリールの糸止め装置において、前記釣糸挟持部は、前記支軸部の軸方向から見て、前記スカート部の軸心に直交し、かつ前記支軸部の外面後端部に接して前記スカート部の周方向に延在する線を基準線としたときに、前記基準線よりも前側に設けられているのがよい。このように構成することによって、釣糸係止部の前側から釣糸挟持部にダイレクトに釣糸を進入させて釣糸を好適に挟持することができる。
【００１２】
また、本発明の魚釣用スピニングリールの糸止め装置は、釣糸巻回胴部の後端に設けられた円筒状のスカート部に配置される魚釣用スピニングリールの糸止め装置である。糸止め装置は、前記スカート部の径方向に延在する支軸部と、前記支軸部の端部に設けられた釣糸係止部と、を備えている。前記釣糸係止部は、前記スカート部側の外面部との間に釣糸を挟持する釣糸挟持部を備えている。前記釣糸挟持部は、前記釣糸巻回胴部に巻回される釣糸の巻き付け方向の先糸側となる前記釣糸係止部の側部側の領域に形成されている。
【００１３】
この魚釣用スピニングリールの糸止め装置では、釣糸係止部の前側から釣糸係止部の側部に設けられた釣糸挟持部に釣糸を進入させることができる。つまり、釣糸を係止する際には、従来のように、釣糸巻回胴部から遠れた釣糸係止部の後部側に一旦釣糸を移動させる必要がなくなり、釣糸巻回胴部から釣糸係止部の側部の釣糸挟持部にダイレクトに釣糸を進入させて挟持することができる。また、釣糸巻回胴部から釣糸係止部の側部の釣糸挟持部にダイレクトに釣糸を進入させて挟持することができるので、従来のように、釣糸係止部に釣糸を巻き付けるような係止態様を採る必要がない。したがって、係止後の釣糸の脱落を防止しつつ糸癖が付くのを防止することができるとともに、より少ない動作で簡易かつ迅速に釣糸を係止することができる。
【００１４】
また、前記した魚釣用スピニングリールの糸止め装置において、前記スカート部側の外面部と前記釣糸係止部との一方には、他方へ向けて突出する抜け止め突起が設けられているのがよい。このように構成することによって、釣糸挟持部に挟持された釣糸の抜けが抜け止め突起によって規制され、釣糸挟持部から釣糸が脱落するのを好適に防止することができる。
【００１５】
また、前記した魚釣用スピニングリールの糸止め装置において、前記スカート部側の外面部と前記釣糸係止部との他方には、前記抜け止め突起が係合する係合凹部が設けられているのがよい。このように構成することによって、釣糸挟持部に挟持された釣糸の抜けが抜け止め突起と係合凹部との係合によってより確実に規制され、釣糸挟持部から釣糸が脱落するのをより好適に防止することができる。
【００１６】
また、前記した魚釣用スピニングリールの糸止め装置において、前記釣糸挟持部の少なくとも一部は、前記支軸部と前記抜け止め突起との間に形成されているのがよい。このように構成することによって、釣糸挟持部の挟持領域を確保しつつ釣糸挟持部に挟持された釣糸の脱落を好適に防止することができる。
【００１７】
また、前記した魚釣用スピニングリールの糸止め装置において、前記スカート部側の外面部には、前記釣糸挟持部に隣接して、前記釣糸挟持部に挟持された釣糸の先糸側部分を収容する凹部が設けられているのがよい。このように構成することによって、釣糸係止部の前側から釣糸挟持部に進入させた釣糸が釣糸挟持部から凹部内に引き出される。これによって、釣糸に糸癖が付くのを好適に防止することができる。
【００１８】
本発明の魚釣用スピニングリールは、前記した魚釣用スピニングリールの糸止め装置を備えることを特徴とする。本発明の魚釣用スピニングリールによれば、前記した糸止め装置が備える作用効果と同様の作用効果を奏する。すなわち、釣糸係止部の前側から釣糸挟持部に釣糸をダイレクトに進入させて係止することができ、係止後の釣糸の脱落を防止しつつ糸癖が付くのを防止することができるとともに、より少ない動作で簡易かつ迅速に釣糸を係止することができる魚釣用スピニングリールが得られる。
【発明の効果】
【００１９】
本発明によれば、係止後の釣糸の脱落を防止しつつ糸癖が付くのを防止することができるとともに、より少ない動作で簡易かつ迅速に釣糸を係止することができる魚釣用スピニングリールの糸止め装置および魚釣用スピニングリールが得られる。
【図面の簡単な説明】
【００２０】
【図１】本発明の第一実施形態に係る魚釣用スピニングリールの糸止め装置が適用される魚釣用スピニングリールを示す図であり、（ａ）は全体構成を示す側面図、（ｂ）は図１の破線ＩＢで囲まれた範囲を左前の上側から斜視した斜視図である。
【図２】（ａ）は糸止め装置を示す平面図、（ｂ）は糸止め装置のベース部材を示す平面図である。
【図３】ベース部材側における釣糸挟持部を示す平面図（釣糸挟持部はドッド模様で図示）である。
【図４】糸止め装置から釣糸係止部を取り外した分解図であり、（ａ）は斜視図、（ｂ）は正面図である。
【図５】釣糸係止部を示す図であり、（ａ）は正面図、（ｂ）は平面図、（ｃ）は底面図、（ｄ）は側面図、（ｅ）は背面図、（ｆ）は右後の下側から斜視した斜視図である。
【図６】（ａ）は図２のＡ−Ａ線に沿う拡大断面図、（ｂ）は図２のＢ−Ｂ線に沿う拡大断面図である。
【図７】（ａ）は釣糸を係止する際の様子を示す平面図、（ｂ）は釣糸挟持部に挟持された釣糸を示す断面図である。
【図８】（ａ）〜（ｃ）は変形例の糸止め装置を示す断面図である。
【図９】第二実施形態の魚釣用スピニングリールの糸止め装置を示す平面図である。
【図１０】第三実施形態の魚釣用スピニングリールの糸止め装置を示す平面図である。
【発明を実施するための形態】
【００２１】
以下、本発明の実施形態の魚釣用スピニングリールの糸止め装置について、図面を参照して説明する。以下の説明において、「前後」「左右」「上下」は、図１（ｂ）に示す方向を基準とする。なお、各実施形態において、同一の部分には同一の符号を付し、重複する説明は省略する。
【００２２】
（第一実施形態）
図１に示すように、主として、魚釣用スピニングリールは、図示しない釣竿に装着するための脚部１Ａが形成されたリール本体１（例えば、金属から形成される）と、リール本体１の前方に回転可能に設けられたロータ２と、このロータ２の回転運動と同期して前後方向移動可能に設けられたスプール３とを有して構成される。スプール３には、釣糸を係止するための糸止め装置１０が設けられている。
【００２３】
リール本体１には、軸受を介してハンドル軸（不図示）が回転可能に支持されている。ハンドル軸の突出端部には、巻き取り操作されるハンドル４が取り付けられている。
リール本体１内には、公知のように、ハンドル４の回転操作に伴いハンドル軸周りに回転するドライブギア（不図示）と、前後方向に延びる中空の駆動軸筒（不図示）と、駆動軸筒に外嵌されてドライブギアに噛合するピニオンギア（不図示）と、が設けられている。
【００２４】
ロータ２は、駆動軸筒を介して回転可能に取り付けられている。ロータ２は、ハンドル４の回転操作に応じて当該駆動軸筒とともに回転するように構成される。駆動軸筒内には、スプール軸（不図示）が挿通される。スプール３は、このスプール軸の前部に取り付けられる。また、スプール軸の後部は、駆動歯車の回転に応じてスプール軸を前後動させるオシレーティング機構に連結されている。ハンドル４の回転操作により駆動歯車が回転すると、ロータ２が回転するとともにスプール３が前後動する。これにより、ロータ２に設けた釣糸案内部（不図示）を介してスプール３に釣糸が均等に巻回される。
【００２５】
スプール３は、釣糸が巻回される釣糸巻回胴部３１と、釣糸巻回胴部３１の前端から径方向外側に立ち上がる前フランジ３１ａと、釣糸巻回胴部３１の後端から径方向外側に立ち上がる後フランジ３１ｂと、後フランジ３１ｂから後方に延びる略円筒状のスカート部３３と、を備える。スカート部３３は、釣糸巻回胴部３１よりも大径となるように形成されている。スプール３は、例えばアルミニウム合金を鍛造して形成される。スカート部３３の前端外周部には糸止め装置１０が装着される。
【００２６】
スカート部３３の前端外周部には、糸止め装置１０を装着するための装着孔３３ａが形成されている。装着孔３３ａは、糸止め装置１０の後記するベース部材１１の外形状に対応して、図２（ａ）に示すように、平面視で略台形状を呈している。装着孔３３ａは、スカート部３３の前端外周部を径方向に貫通している（図６（ａ）（ｂ）参照）。装着孔３３ａの左右側壁には、図１（ｂ）、図４（ａ）（ｂ）に示すように、溝部３３ｂが形成されている。溝部３３ｂは、後フランジ３１ｂの前面から後方に向けて形成されている（図４（ａ）（ｂ）参照）。
【００２７】
糸止め装置１０は、図２（ａ）に示すように、ベース部材１１と、糸止め部材１５と、を備えて構成されている。ベース部材１１に糸止め部材１５が取り付けられることで、ベース部材１１と糸止め部材１５との間に釣糸が挟持される釣糸挟持部Ｒ１（図３参照）が形成される。糸止め部材１５は、図４（ａ）に示すように、支軸部１６と、釣糸係止部１７とを備えている。糸止め部材１５の詳細な構成は後記する。
ベース部材１１は、略板状を呈しており、スカート部３３の装着孔３３ａに装着される部材である。ベース部材１１の左右側部には、側方へ向けて突出するフランジ１１ａが形成されている。フランジ１１ａは、装着孔３３ａの溝部３３ｂに係合可能である。装着孔３３ａにベース部材１１を装着する際には、スプール３の後フランジ３１ｂの前方から装着孔３３ａの溝部３３ｂにベース部材１１のフランジ１１ａを挿入し、後方へ向けてベース部材１１をスライド移動させる。このスライド移動によって装着孔３３ａにベース部材１１を装着することができる。ベース部材１１の後端部１１ａ１は、図６（ａ）（ｂ）に示すように、装着孔３３ａの後壁に形成された後壁凹部３３ｂ１に係合している。ベース部材１１の装着によって装着孔３３ａは閉塞される。
【００２８】
ベース部材１１は、図４（ｂ）に示すように、スカート部３３の外周面の円弧に倣って外周面に円弧が連続するように装着される。このようなベース部材１１は、スカート部３３側の外面部を構成する部品として機能する。
【００２９】
ベース部材１１は、図３，図４（ａ）に示すように、前部１２と、前部１２の左右方向の中央部から後方へ延在する延在部１３と、延在部１３の左右側方に形成された凹部１４，１４と、を備えている。ベース部材１１は、例えば、合成樹脂材料により形成されている。
【００３０】
前部１２は、図４（ａ）（ｂ）に示すように、正面から見て、スカート部３３の外周面の円弧に倣って円弧状に膨出形成されている。また、前部１２の前端部１２ｇは、図６（ａ）（ｂ）に示すように、アール状に面取りされている。これにより、前部１２に対して前方から釣糸を進入し易い。
前部１２の左右方向の中央部は、図３，図４（ａ）に示すように、糸止め部材１５の釣糸係止部１７の前部１７ｅに対向している。前部１２は、糸止め部材１５の前部１７ｅとの間に、釣糸を挟持することが可能な釣糸挟持部Ｒ１（図３においてドット模様で示す領域）を形成している。前部１２には、左右方向に所定の間隔を空けて半球状の係合凹部１２ｂ，１２ｂが形成されている。
前部１２の左右方向の中央部には、図２（ｂ）に示すように、挿通孔１３ａが形成されている。挿通孔１３ａは、前部１２から延在部１３に亘って形成されている。挿通孔１３ａは、断面ハット状に形成されており、幅広部１３ａ１と、幅広部１３ａ１の後側に連続する幅狭部１３ａ２と、を備えている。幅広部１３ａ１は、前側に位置し左右方向に幅広に形成されている。幅狭部１３ａ２は、幅広部１３ａ１の後側に位置し幅広部１３ａ１よりも幅狭に形成されている。幅広部１３ａ１には、糸止め部材１５の支軸部１６（図５（ｆ）参照）が挿通される。また、幅狭部１３ａ２には、糸止め部材１５の後記するフック部１６ａ（図５（ｆ）参照）が挿通される。
【００３１】
延在部１３は、前部１２に連続して径方向に膨出形成されている。延在部１３の前部側（前部１２との境界部分を含む）には、釣糸係止部１７が着座する（当接する）ようになっている。
【００３２】
凹部１４，１４は、前部１２および延在部１３よりも径方向内側に向けて一段低く形成されている。凹部１４は、周りを前部１２，延在部１３およびベース部材１１の周壁で囲われている。各凹部１４の前端部１４ａは、係合凹部１２ｂと挿通孔１３ａの幅広部１３ａ１との間に延在している。これにより、図３に示すように、釣糸挟持部Ｒ１に隣接して左右の凹部１４，１４（前端部１４ａ，１４ａ）が連続するように構成されている。このような凹部１４は、後記するように、釣糸挟持部Ｒ１に挟持された釣糸Ｌの先糸側部分Ｌ１を収容する収容スペースとして機能する（図７（ｂ）参照）。
【００３３】
糸止め部材１５は、図５各図に示すように、支軸部１６と、支軸部１６の上端部に一体的に設けられた釣糸係止部１７と、を備えている。支軸部１６は、左右方向に延在し、かつ、スカート部３３の径方向に延在する平板状を呈している（図４（ａ）（ｂ）参照）。支軸部１６の下端部には、後方へ折り返し形成されたフック部１６ａが一体的に設けられている。支軸部１６およびフック部１６ａは、ベース部材１１の挿通孔１３ａ（幅広部１３ａ１，幅狭部１３ａ２）に挿通され、図６（ｂ）に示すように、下部がスカート部３３内に配置される。支軸部１６の幅は、挿通孔１３ａの幅広部１３ａ１の幅に対応している。一方、フック部１６ａの幅は、挿通孔１３ａの幅狭部１３ａ２の幅に対応している。
スカート部３３内において、フック部１６ａには、付勢部材１９の上端部１９ａが掛止されている。付勢部材１９は、スカート部３３の内周面の周方向に延在して内周面に設置されるばね部材である。付勢部材１９は、フック部１６ａを下方に付勢するように変形させて組み付けられている。支軸部１６は、付勢部材１９によって、図６（ｂ）中矢印方向に付勢されている。
【００３４】
支軸部１６の下部前面１６ｃは、図６（ｂ）に示すように、後フランジの後面３３ａ１に当接している。これにより、ベース部材１１の抜け方向への移動（前方への移動）が規制され、装着孔３３ａからのベース部材１１の脱落が防止されている。
【００３５】
釣糸係止部１７は、スカート部３３の外周面に沿って延在する略板状を呈している。釣糸係止部１７は、前記した付勢部材１９の付勢によってベース部材１１に着座（当接）するように構成されている。釣糸係止部１７の前部（前部下面）１７ｅは、ベース部材１１の前部１２の形状に倣って、図５（ａ）に示すように、上方へ向けて円弧状に凹む形状とされている。これにより、釣糸係止部１７の前部１７ｅは、ベース部材１１の前部１２に略密着する状態に当接するようになっている。これによって、釣糸係止部１７の前部１７ｅは、ベース部材１１の前部１２との間に釣糸を挟持する釣糸挟持部Ｒ１（図３参照）を形成している。
【００３６】
釣糸挟持部Ｒ１は、図３に示すように、釣糸係止部１７とベース部材１１との対向する領域（対向部位）のうち、釣糸巻回胴部３１側となる前部側の領域に形成されている。
具体的に、釣糸挟持部Ｒ１は、支軸部１６の軸心Ｏ１方向から見て、スプール３（スカート部）の軸心Ｏ２に直交し、かつ支軸部１６の外面後端部に接してスカート部３３の周方向に延在する線Ｎ１を基準線としたときに、基準線（線Ｎ１）よりも前側となる部分に設けられている。釣糸は後記するように釣糸挟持部Ｒ１を前側から後側に交差するように通されて挟持される。
【００３７】
釣糸係止部１７の前部１７ｅには、抜け止め突起１７ｂ，１７ｂが形成されている。抜け止め突起１７ｂ，１７ｂは、左右方向に間隔を空けて下方へ半球状に突出している（図５（ａ）等参照）。各抜け止め突起１７ｂは、ベース部材１１の前部１２の係合凹部１２ｂに係合可能である（図６（ａ）参照）。抜け止め突起１７ｂ，１７ｂは、係合凹部１２ｂ，１２ｂに係合して、釣糸挟持部Ｒ１に挟持された釣糸を抜け止めする役割をなす。
【００３８】
釣糸挟持部Ｒ１のうち、左側の抜け止め突起１７ｂと支軸部１６の左側部との間には、幅狭な釣糸挟持部Ｒ１１が形成されている。また、右側の抜け止め突起１７ｂと支軸部１６の右側部との間には、幅狭な釣糸挟持部Ｒ１２が形成されている。つまり、釣糸挟持部Ｒ１１において、釣糸の抜ける側となる釣糸挟持部Ｒ１１の左側に抜け止め突起１７ｂが位置しているとともに、釣糸挟持部Ｒ１２において、釣糸の抜ける側となる釣糸挟持部Ｒ１２の右側に抜け止め突起１７ｂが位置している。つまり、釣糸は、抜け止め突起１７ｂ，１７ｂの内側領域に挟持され、抜け止め突起１７ｂ，１７ｂによって抜け止め保持される。
【００３９】
なお、釣糸係止部１７の支軸部１６の後側となる下面には、下方に突出する段部１７ｄが形成されている、段部１７ｄの後端部には、左右方向に延在する突条部１７ｃが形成されている。
【００４０】
次に、糸止め装置１０に対して釣糸を係止する際の操作について説明する。
スプール３の釣糸巻回胴部３１に巻回された釣糸Ｌの先糸側部分Ｌ１を指でつまみ、図７（ａ）に二点鎖線で示すように、前側から糸止め装置１０に釣糸Ｌを近づける。そして、釣糸係止部１７の前側左端部（左前角部）の下面に釣糸Ｌを当てるようにして、釣糸Ｌに張力を加えつつ、先糸側部分Ｌ１を図中矢印Ｘ１方向（左側からベース部材１１の延在部１３に向かう方向）に移動させる。
【００４１】
そうすると、釣糸Ｌが釣糸係止部１７とベース部材１１との間に進入し、釣糸係止部１７を上方に押し上げるようにして抜け止め突起１７ｂの外面（係合凹部１２ｂとの隙間）を通過し、抜け止め突起１７ｂの内側に移動する。これにより、釣糸Ｌは、釣糸挟持部Ｒ１のうち、抜け止め突起１７ｂと支軸部１６との間に形成される領域（釣糸挟持部Ｒ１１）にて挟持される状態となる。
【００４２】
釣糸挟持部Ｒ１１の後方には、凹部１４の前端部１４ａが隣接配置されている。よって、釣糸挟持部Ｒ１１に挟持された釣糸Ｌの先糸側部分Ｌ１は、図７（ｂ）に示すように、前端部１４ａを通じて凹部１４内に平面視で略直線状に導かれる（図７（ａ）参照）。
【００４３】
ここで、釣糸Ｌが挟持された釣糸挟持部Ｒ１１は、図７（ａ）に示すように、釣糸巻回胴部３１に巻回される釣糸Ｌの巻き付け方向（図中矢印Ｙ１方向）の先糸側となる釣糸係止部１７の側部側（左側）の領域である。つまり、釣糸Ｌは、釣糸係止部１７の側部側（支軸部１６の側方）の比較的小さなスペースにて挟持することができる。
【００４４】
なお、釣糸Ｌは、釣糸係止部１７の左側の釣糸挟持部Ｒ１１だけではなく、反対側となる右側の釣糸挟持部Ｒ１２に対して挟持してもよい。この場合には、先糸側部分Ｌ１を釣糸係止部１７の右側から近づけて、釣糸係止部１７とベース部材１１との間に進入させて釣糸挟持部Ｒ１２に挟持すればよい。この場合にも、釣糸挟持部Ｒ１２に挟持された釣糸Ｌの先糸側部分Ｌ１を、前端部１４ａを通じて右側の凹部１４内に平面視で略直線状に導くことができる。
【００４５】
なお、釣糸Ｌは、先糸側部分Ｌ１を釣糸係止部１７の後部側にまわして、図６（ｂ）に示すように、後端下部の傾斜面１７ａを通じて突条部１７ｃの内側に進入させて挟持してもよい。
【００４６】
以上説明した魚釣用スピニングリールの糸止め装置では、釣糸係止部１７の前側から釣糸挟持部Ｒ１（Ｒ１１，Ｒ１２）に釣糸Ｌを進入させることができる。つまり、釣糸Ｌを係止する際には、従来のように、釣糸巻回胴部３１から遠れた側となる釣糸係止部１７の後部側に一旦釣糸を移動させる必要がなくなり、釣糸巻回胴部３１から釣糸係止部１７の前側の釣糸挟持部Ｒ１（Ｒ１１，Ｒ１２）にダイレクトに釣糸Ｌを進入させて挟持することができる。また、釣糸巻回胴部３１から釣糸係止部１７の前側の釣糸挟持部Ｒ１（Ｒ１１，Ｒ１２）にダイレクトに釣糸Ｌを進入させて挟持することができるので、従来のように、釣糸係止部１７に釣糸Ｌを巻き付けるような係止態様を採る必要がない。したがって、係止後の釣糸Ｌの脱落を防止しつつ糸癖が付くのを防止することができるとともに、より少ない動作で簡易かつ迅速に釣糸Ｌを係止することができる。
【００４７】
また、釣糸係止部１７の前側から釣糸係止部１７の側部に設けられた釣糸挟持部Ｒ１１，Ｒ１２に釣糸Ｌを進入させ易く、少ない動作で簡易かつ迅速に釣糸Ｌを係止することができる。
【００４８】
また、釣糸挟持部Ｒ１（Ｒ１１，Ｒ１２）は、支軸部１６の軸方向から見て、スカート部３３の軸心Ｏ２に直交し、かつ支軸部１６の外面後端部に接してスカート部３３の周方向に延在する線Ｎ１を基準線としたときに、基準線Ｎ１よりも前側に設けられている。したがって、釣糸係止部１７の前側から釣糸挟持部Ｒ１（Ｒ１１，Ｒ１２）にダイレクトに釣糸Ｌを進入させて釣糸Ｌを好適に挟持することができる。
【００４９】
また、釣糸係止部１７には抜け止め突起１７ｂが設けられているので、釣糸挟持部Ｒ１１に挟持された釣糸Ｌの抜けが抜け止め突起１７ｂによって規制され、釣糸挟持部Ｒ１１から釣糸Ｌが脱落するのを好適に防止することができる。
【００５０】
また、フランジ１には、係合凹部１２ｂが設けられているので、釣糸挟持部Ｒ１（Ｒ１１，Ｒ１２）に挟持された釣糸Ｌの抜けが抜け止め突起１７ｂと係合凹部１２ｂとの係合によってより確実に規制され、釣糸挟持部Ｒ１（Ｒ１１，Ｒ１２）から釣糸Ｌが脱落するのをより好適に防止することができる。
【００５１】
また、釣糸挟持部Ｒ１のうち釣糸挟持部Ｒ１１，Ｒ１２は、支軸部１６と抜け止め突起１７ｂ，１７ｂとの間に形成されている。これにより、釣糸挟持部Ｒ１１，Ｒ１２に挟持された釣糸Ｌが抜け方向となる外側方向に移動するのを抜け止め突起１７ｂで効果的に防止することができる。したがって、釣糸挟持部Ｒ１１，Ｒ１２の挟持領域を確保しつつ、釣糸挟持部Ｒ１１，Ｒ１２に挟持された釣糸Ｌの脱落を好適に防止することができる。
【００５２】
また、ベース部材１１には、釣糸挟持部Ｒ１１，Ｒ１２に隣接して、釣糸挟持部Ｒ１１，Ｒ１２に挟持された釣糸Ｌの先糸側部分Ｌ１を収容する凹部１４，１４が設けられている。これにより、釣糸係止部１７の前側から釣糸挟持部Ｒ１１，Ｒ１２に進入させた釣糸Ｌが釣糸挟持部Ｒ１１，Ｒ１２から凹部１４，１４内に引き出される。これによって、釣糸Ｌに糸癖が付くのを好適に防止することができる。
【００５３】
また、前記糸止め装置１０を備えた魚釣用スピニングリールによれば、釣糸係止部１７の前側から釣糸挟持部Ｒ１（Ｒ１１，Ｒ１２）に釣糸Ｌをダイレクトに進入させて係止することができる。そして、係止後の釣糸Ｌの脱落を防止しつつ糸癖が付くのを防止することができるとともに、より少ない動作で簡易かつ迅速に釣糸を係止することができる魚釣用スピニングリールが得られる。
【００５４】
図８に変形例の糸止め装置を示す。図８（ａ）に示す糸止め装置１０は、ベース部材１１における抜け止め突起１７ｂ，１７ｂが当接する部分（前部１２）を平らに形成したものである。
このような構成にすることによっても、抜け止め突起１７ｂ，１７ｂの内側の釣糸挟持部Ｒ１１，Ｒ１２に釣糸（不図示）を好適に挟持することができる。また、抜け止め突起１７ｂ，１７ｂによって釣糸の抜け防止を好適に図ることができる。
【００５５】
図８（ｂ）に示す糸止め装置１０は、ベース部材１１の前部１２に抜け止め突起１２ｅ，１２ｅを設け、釣糸係止部１７側に係合凹部１７ｇ，１７ｇを設けたものである。
このような構成にすることによっても、抜け止め突起１２ｅ，１２ｅの内側の釣糸挟持部Ｒ１１，Ｒ１２に釣糸（不図示）を好適に挟持することができる。また、抜け止め突起１２ｅ，１２ｅと係合凹部１７ｇ，１７ｇとの係合によって釣糸の抜け防止を好適に図ることができる。
【００５６】
図８（ｃ）に示す糸止め装置１０は、ベース部材１１の前部１２の釣糸挟持部Ｒ１１，Ｒ１２に釣糸Ｌの一部を収容する収容溝１２ｆ，１２ｆを設けたものである。
このような構成にすることによっても、抜け止め突起１７ｂ，１７ｂの内側の釣糸挟持部Ｒ１１，Ｒ１２に釣糸（不図示）を好適に挟持することができる。また、釣糸挟持部Ｒ１１，Ｒ１２において、収容溝１２ｆ，１２ｆに釣糸Ｌを好適に保持することができ、釣糸Ｌの抜け防止をより好適に図ることができる。
【００５７】
（第二実施形態）
図９に第二実施形態の魚釣用スピニングリールの糸止め装置を示す。本実施形態が前記第一実施形態と異なるところは、釣糸係止部１７Ａを前後方向に短く形成して、糸止め装置１０の設置スペースの省スペース化を図った点にある。
【００５８】
釣糸係止部１７Ａは、平面視で左右方向に横長に形成されているとともに、前後方向に短く形成されている。抜け止め突起１７ｂおよび係合凹部１２ｂは、釣糸係止部１７Ａの左側（釣糸の巻き付け方向の先糸側）にのみ設けられている。つまり、釣糸巻回胴部３１からの釣糸を挟持しやすい側に設けられている。
【００５９】
本実施形態においても、係止後の釣糸の脱落を防止しつつ糸癖が付くのを防止することができるとともに、より少ない動作で簡易かつ迅速に釣糸を係止することができる魚釣用スピニングリールの糸止め装置および魚釣用スピニングリールが得られる。
しかも、釣糸係止部１７Ａが前後方向に短く形成されているので、糸止め装置１０の設置スペースの省スペース化を図ることができ、ひいては、スプール３の小型化や軽量化を図ることができる。
【００６０】
（第三実施形態）
図１０に第三実施形態の魚釣用スピニングリールの糸止め装置を示す。本実施形態が前記第三実施形態と異なることろは、釣糸係止部１７Ｂを片持ち構造で支持した点である。
【００６１】
釣糸係止部１７Ｂは、平面視で左右方向に延在しており、先糸側となる左端部が先細りとなる流線型に形成されている。抜け止め突起１７ｂおよび係合凹部１２ｂは、釣糸係止部１７Ａの左側（釣糸の巻き付け方向の先糸側）にのみ設けられている。凹部１４の前端部１４ａは前記実施形態のものよりも幅広に形成されており、釣糸挟持部Ｒ１１の中央部に位置している。これにより、凹部１４に釣糸が導かれ易くなっている。
【００６２】
本実施形態においても、係止後の釣糸の脱落を防止しつつ糸癖が付くのを防止することができるとともに、より少ない動作で簡易かつ迅速に釣糸を係止することができる魚釣用スピニングリールの糸止め装置および魚釣用スピニングリールが得られる。
しかも、釣糸係止部１７Ｂを片持ち構造で支持しているので、幅方向に亘って釣糸挟持部Ｒ１１を広く形成することができる。また、釣糸係止部１７Ｂは、先糸側となる左端部が先細りとなる流線型に形成されているので、釣糸を挟み込み易く、挟持操作が行い易い。
【００６３】
以上、実施形態について説明したが、本発明は前記実施形態で説明したものに限定されない。
例えば、第一実施形態では釣糸係止部１７を平面視で略台形状としたがこれに限られることはなく、四角形状、多角形状、楕円形状、円形状等の種々の形状とすることができる。
また、支軸部１６は、平板形状を呈するものを示したが、これに限られることはなく、多角形状、楕円形状、円形状等の種々の形状とすることができる。
【００６４】
また、スカート部３３にベース部材１１と装着する構造としたが、これに限られることはなく、スカート部３３側の外面部自体をベース部材１１と同様に用いて、これに釣糸係止部１７，１７Ａ，１７Ｂが当接するように構成してもよい。
【００６５】
糸止め部材１５は、支軸部１６がスプール３の内側にピンやねじ等によって固定されるように構成し、弾性変形によって釣糸係止部１７が釣糸を挟持するように構成してもよい。
【符号の説明】
【００６６】
１０    糸止め装置
１２ｂ  係合凹部
１６    支軸部
１７    釣糸係止部
１７ｂ  抜け止め突起
１７ｅ  前部
３１    釣糸巻回胴部
３３    スカート部
Ｎ１    基準線
Ｏ２    軸心（支軸部の軸）
Ｒ１    釣糸挟持部
Ｒ１１，Ｒ１２    釣糸挟持部
【図１】
2018050553.tif 000003
【図２】
2018050553.tif 000004
【図３】
2018050553.tif 000005
【図４】
2018050553.tif 000006
【図５】
2018050553.tif 000007
【図６】
2018050553.tif 000008
【図７】
2018050553.tif 000009
【図８】
2018050553.tif 000010
【図９】
2018050553.tif 000011
【図１０】
2018050553.tif 000012